(57)【要約】【課題】  香道で用いられる香りの組合せを示す源氏香図５２パターンは、伝統的日本の意匠として美術工芸領域で広く用いられているが、個々のパターンを意匠表現の要素として扱うに止まっている。本発明は源氏香図５２パターン全てを簡単な構造で生成する源氏香図パターン・ジェネレータを提供する。【解決手段】  源氏香図を縦方向に９領域の矩形に分割した。源氏香図５２パターンはこれら９領域の矩形それぞれのパターン変化によって生成される。このパターン変化は１領域の矩形につき４通り以下であり、９領域それぞれの矩形ごとに必要とされるパターンを確定した。領域ごとのパターンは源氏香図パターン・ジェネレータの構成片９種それぞれに描き、置換しえる単純な機構により、源氏香図５２パターンの全てが生成出来る源氏香図パターン・ジェネレータとした。【選択図】図５
2010082407.tif 000002
【特許請求の範囲】
【請求項１】
棒状直方体の構成片９種を組み合わせるパターン・ジェネレータであって、構成片それぞれの４面に、他の構成片と組み合わせた時に源氏香図５２パターンのうちの一つが構成される模様を描いた源氏香図パターン・ジェネレータ。
【請求項２】
棒状直方体の構成片を収納箱に納めた請求項１記載の源氏香図パターン・ジェネレータ。
【請求項３】
板状直方体の構成片９種を組み合わせるパターン・ジェネレータであって、構成片それぞれの４面に、他の構成片と組み合わせた時に源氏香図５２パターンのうちの一つが構成される模様を描いた源氏香図パターン・ジェネレータ。
【請求項４】
板状直方体の構成片９種を重ね合わせ、それぞれの板の中央に設けた穴に回転軸を挿入、固定された請求項３記載の源氏香図パターン・ジェネレータ。
【請求項５】
帯状の構成片９種を組み合わせるパターン・ジェネレータであって、構成片の面に、他の構成片と組み合わせた時に源氏香図５２パターンのうちの一つが構成される模様を描いた源氏香図パターン・ジェネレータ。
【請求項６】
帯状の構成片９種それぞれをループ状にした請求項５記載の源氏香図パターン・ジェネレータ。
【請求項７】
請求項１、請求項３、請求項５、に記載されたいずれかの源氏香図パターン・ジェネレータであって、香に関する製品、室内装飾の製品の部分に組み入れたもの。
【発明の詳細な説明】
【技術分野】
【０００１】  本発明は、源氏香図を生成するパターン・ジェネレータに関する。
【背景技術】
【０００２】  香道で用いられる香りの組合せを示す源氏香図は、５種類の異なった香から重複を許して任意に５回選択し、順に嗅ぎ分けその組合せを参加者が当てるというゲームに由来する。香りの組合せの順番をパターン化したものが源氏香図であるが、５２種類のパターンとなる。源氏香ではそれら一つ一つを源氏物語の巻之二から巻之五十三の５２帖に対応させている。従って源氏香図は源氏物語の帖を暗喩する記号として香道の世界だけに止まらず伝統的日本の文様として美術工芸領域で広く用いられている。
【発明が解決しようとする課題】
【０００３】  源氏香図５２パターンは、上述した様に美術工芸領域で広く用いられているが、その殆どは何れかのパターンを意匠表現の要素として扱うに止まっている。本発明は源氏香図５２パターン全てを簡単な構造で速やかに生成する源氏香図パターン・ジェネレータを提供することである。香に関する製品、室内装飾の製品に用いることができる。
【０００４】  本発明のもう一つの課題は、源氏香図５２パターン全てを簡単な構造で速やかに生成するパズルを提供する。源氏香図に暗喩される源氏物語の帖に思いを馳せながら楽しめるパズルで、日本文化に関わった教育玩具として提供する。
【課題を解決するための手段】
【０００５】  上述した課題を解決するため、本発明に係るパターン・ジェネレータは、構成片による組合せ方式を用いる。源氏香図を縦方向に９領域の矩形に分割し、領域ごとのパターンをパターン・ジェネレータの構成片９種それぞれに描き組み合わせる事で源氏香図が生成される。
【０００６】  源氏香図５２パターンは、上述の９領域の矩形それぞれのパターン変化によって生成される。このパターンは領域ごとに源氏香図５２パターン全てにわたって調べると、変化は１領域の矩形につき４通り以下であることが解り、９領域それぞれの矩形ごとに必要とされるパターン群が確定された。
【０００７】  ９領域それぞれの矩形ごとに必要とされるパターンを速やかに置換しえる単純な機構とする為に、棒状直方体である構成片の長方形４面にパターンを描き、構成片を転回させる方法を採る。
【０００８】  ９領域それぞれの矩形ごとに必要とされるパターンを速やかに置換しえる単純な機構とする為に、板状直方体である構成片の木口４面にパターンを描き、構成片を転回させる方法を採る。
【０００９】  ９領域それぞれの矩形ごとに必要とされるパターンを速やかに置換しえる単純な機構とする為に、帯状である構成片の片面に必要とされるパターンを連続して描き、構成片をズラス方法を採る。
【発明の効果】
【００１０】  上述したように本発明は、従来固定された図案として扱われてきた源氏香図の全てが表示部分に速やかに生成され、個々の文様に暗喩される源氏物語の帖の文学的興味を喚起しえる源氏香図パターン・ジェネレータを提供出来る。
【発明を実施するための最良の形態】
【００１１】以下、本発明の実施の形態を図１〜図１０に基づいて説明する。【００１２】  図１は源氏香５２パターンの全てを示している。それぞれのパターンは５本の縦棒及び、それらに挟まれた４本の地模様が基本となっている。【００１３】  図２は、源氏香図の分割の仕方を示している。縦に９領域に分割する。１〜９の符号は、９領域（以下部位）それぞれの部位に対応する。【００１４】  図３は、源氏香５２パターンの全てにわたって１〜９の部位を調べた結果である。部位ごとに現れるパターンは最大４パターンであることから、部位毎にパターンを連続して入れ替える方法として、直方体の４面にパターンを描く方法、或は帯状の構成片にパターンを連続して描く方法が考案された。【００１５】  図４は棒状直方体の構成片にパターンを描いた場合の展開図である。【００１６】  図５は棒状直方体の構成片による源氏香図パターン・ジェネレータの斜視図である。各構成片（１〜９）の面に描かれたパターンを、構成片を回転させ置き換える事により源氏香図の生成が行える。図の様に構成片をケース（１０）に収める方法もある。【００１７】  図６は板状直方体の構成片にパターンを描いた場合の展開図である。【００１８】  図７は板状直方体の構成片による源氏香図パターン・ジェネレータの斜視図である。各構成片（１〜９）の木口に描かれたパターンを、構成片を回転させ置き換える事により源氏香図の生成が行える。図の様に構成片の中心に回転軸（１１）を設け、各構成片を回転させ置き換える事により源氏香図の生成を行う方法もある。【００１９】  図８は帯状構成片にパターンを連続的に描いた場合のパターン図である。【００２０】  図９は帯状構成片による源氏香図パターン・ジェネレータの使用説明図である。図の様に構成片を枠（１２）越しに見える様に並べ、各構成片をスライドさせる事により源氏香図の生成が行える。【００２１】  図１０は帯状構成片による源氏香図パターン・ジェネレータの斜視図及び、帯状構成片をループにした源氏香図パターン・ジェネレータの斜視図である。帯状構成片は薄い板状のものか、布の様な柔らかい素材が考えられる。
【実施例】
【００２２】  図５に示される源氏香図パターン・ジェネレータは、構成片を漆で仕上げ、パーターン部分は螺鈿の象嵌で仕上げることにより、卓上の装飾品として製品化することが出来る。更に構成片を納める箱と組合せることにより、例えばそれを漆工芸品の小箱の蓋等の部分に展開したり、構成片を納める箱を額縁として扱うことにより壁面に飾る装飾品として製品化することが出来る。また、構成片を黒檀等の堅木で仕上げ、パーターン部分を楓等の白木による象嵌で仕上げることにより、卓上のパズルとして製品化することが出来る。素材は木以外にも金属、ガラス、樹脂等幅広く応用することが可能である。
図７に示される源氏香図パターン・ジェネレータは、板状直方体部分を黒檀等の堅木で仕上げパーターン部分を錫等の金属による象嵌で仕上げることにより、卓上の装飾品として製品化することが出来る。また構成片にアルマイト処理されたアルミ素材を用い、パターン部分もアルマイト処理されたアルミ素材による象嵌で仕上げることにより、卓上パズルとして製品化することが出来る。
図１０に示される源氏香図パターン・ジェネレータは、帯状構成片を織物にしてパーターンを織り込み、枠を額縁として扱うことにより壁面に飾る装飾品として製品化することが出来る。
【産業上の利用可能性】
【００２３】  本発明のパターン・ジェネレータは、固定された表示領域に源氏香図５２パターン全てを簡単な構造で速やかに生成することが可能なため、香に関する美術工芸製品、室内装飾の美術工芸製品に用いることができ、美術工芸製品の新たな表現素材として組み込み入れる等、幅広い展開が期待される。
【図面の簡単な説明】
【００２４】
【図１】  源氏香図５２パターン図
【図２】  源氏香図、９領域分割の説明図
【図３】  各領域に於ける必要とされるパターン分類図
【図４】  棒状直方体構成片の展開図
【図５】  棒状直方体構成片によるパターン・ジェネレータの斜視図
【図６】  板状直方体構成片の展開図
【図７】  板状直方体構成片によるパターン・ジェネレータの斜視図
【図８】  帯状構成片のパターン図
【図９】  帯状構成片のによるパターン・ジェネレータの使用説明図
【図１０】  帯状構成片のによるパターン・ジェネレータの斜視図
【図１】
2010082407.tif 000003
【図２】
2010082407.tif 000004
【図３】
2010082407.tif 000005
【図４】
2010082407.tif 000006
【図５】
2010082407.tif 000007
【図６】
2010082407.tif 000008
【図７】
2010082407.tif 000009
【図８】
2010082407.tif 000010
【図９】
2010082407.tif 000011
【図１０】
2010082407.tif 000012